(57)【要約】【課題】魚類の蝟集効果が高く、強度、耐久性に優れ、設置される海域に応じて配置することができる人工魚礁を提供する。【解決手段】平面視台形状の四角柱構造のコンクリート製の基本ブロック１ａと、該基本ブロック１ａの前端面から後端面まで貫通埋設された３本の木材２とが一体的に形成されている。このようにして形成された増殖機能付加型魚礁１を８個使用し台形型の上底部が内側になるように組み合わせて固定し、正四角柱構造の中ブロック１０漁礁を形成する。さらに、中ブロック漁礁１０を多層に積み重ねて、大型魚礁１００を形成する。【選択図】        図１
0003103444.tif 000002
【実用新案登録請求の範囲】
【請求項１】
コンクリートにより形成された台形型四角柱の基本ブロックと、該基本ブロックの前端面から後端面まで貫通して埋設された木材とからなり、該木材と前記基本ブロックとが一体的に形成されていることを特徴とする増殖機能付加型魚礁。
【考案の詳細な説明】
【技術分野】
【０００１】
本考案は、木材を利用した人工魚礁に関するものである。
【背景技術】
【０００２】
従来より、海底、湖底、河川等に設置して人工的に魚類の繁殖の場となる魚礁として、種々のものが提案されている。例えば、方形状のコンクリートブロックを積み重ねた大型魚礁や、タイヤと嵌合する嵌合部を有し、コンクリートにより形成されたブロック本体と前記嵌合部に圧入保持されたタイヤとを備えた魚礁ブロック等が挙げられる。(例えば、特許文献１参照)。
【０００３】
【特許文献１】特公平８−２４５０８号公報
【０００４】
また、魚類の蝟集効果が高い木材どうしを組み合わせた魚礁も検討されており、従来廃棄されていた間伐材の有効活用方法として期待されている。
【考案の開示】
【考案が解決しようとする課題】
【０００５】
しかしながら従来の魚礁では、漁礁を海中に設置後、コンクリートやタイヤ等の表面に魚類等の好む生物が繁殖する迄には、長期間を要するという欠点があった。また木材を使用する魚礁の場合、強度が弱く、また、耐久性が悪く、漁礁を設置可能な海域が限定されてしまうという問題点があった。
【０００６】
本考案は、このような問題点に鑑みなされたものであり、魚類の蝟集効果が高く、強度、耐久性に優れ、設置される海域に応じて配置することができる人工の魚礁を提供することを目的とするものである。
【課題を解決するための手段】
【０００７】
このため本考案は、コンクリートにより形成された台形型四角柱の基本ブロックと、該基本ブロックの前端面から後端面まで貫通して埋設された木材とからなり、該木材と前記基本ブロックとが一体的に形成されていることを最も主要な特徴とする。
【考案の効果】
【０００８】
本考案の増殖機能付加型魚礁は、以上のように構成したので次のような優れた効果を有する。
（１）コンクリート製の台形型四角柱の基本ブロックから構成されており、同一の型枠で大量に生産することができるので、組み上げる魚礁群の大きさを、設置する海域に応じて自在に変更して配置することができ経済的である。
（２）木材を使用しているため生物の付着が促進され、魚類の蝟集効果が高く、さらに腐朽による木材の欠落が生じると、木材が埋設されていた部分が空洞となり、魚礁としての効果が拡大する。
（３）多量の木材を使用するため、間伐材の有効活用ができる。
【考案を実施するための最良の形態】
【０００９】
以下、本考案の実施の形態を、図面に示す実施例に基づいて説明する。図１は、本考案に係る増殖機能付加型魚礁の一実施例を示す基本ブロックの斜視図である。図２はその正面図、図３はその平面図である。図４は、図１の増殖機能付加型魚礁を組み合わせて配置した中ブロックの漁礁を示す斜視図、図５は図４の中ブロック漁礁の配置例を示す斜視図である。
【実施例】
【００１０】
本本考案に係る増殖機能付加型魚礁１は、図１、図２、図３に示すようにコンクリート製の基本ブロック１ａと、この基本ブロック１ａに貫通して埋設された３本の木材２とからなり、平面視台形の四角柱構造となっている。前記基本ブロック１ａの上面および下面の縁部には、面取りが施され、上面には、３個の連結用螺子孔４が設けられている。
【００１１】
基本ブロック１ａに埋設された木材２は、杉あるいは桧等の間伐材が用いられ、コンクリート打設時に基本ブロック１ａの型枠内に、木材貫通部３が形成されるように木材２が挿入固定され、基本ブロック１ａと木材２とが一体的に増殖機能付加型魚礁１として形成される。この際、木材２は、必要に応じ金具等により脱落防止がなされる。また、木材２は、木材貫通部３の長さより長いものを使用しており、海中で魚礁として必要な表面積が充分確保され、生物が短期間で付着しやすくなり魚類の高い蝟集効果が得られる。また木材貫通部３は、基本ブロック１ａの前端面から後端面まで貫通しており、海中で長期間使用されることにより木材２の腐朽が進行し、欠落による空洞が生じ、多孔型の魚礁として用途が拡大するという優れた特徴を有している。
【００１２】
次に、本考案に係る増殖機能付加型魚礁１の配置例について説明する。上記のようにして形成された増殖用付加型魚礁１の連結用螺子孔４にアイボルト（図示せず）を挿入して、このアイボルトに連結された鋼索などをクレ―ンにより吊り上げ、図４（ａ）に示すように、鋼鉄製の枠体７の枠内に、８個の増殖用付加型魚礁１を台形の上底部（短辺部）が内側となるように配置組み合わせて固定することにより、四角形柱構造の中ブロック漁礁１０が形成される。
【００１３】
さらに、この中ブロック漁礁１０を、枠体７の適所に取り付けられた鋼鉄製の突片５に鋼索などを掛け、これをクレーンにより吊り上げて移動し、図５に示すように、複数の中ブロック漁礁１０を水平方向に連結すると共に、垂直方向に積層して、略ピラミッド型の大型魚礁１００を形成することができる。この際、図４（ｂ）に示すように、前記枠体７の上端部に、中ブロック漁礁１０の倒壊防止用の鋼鉄製の枠蓋８が嵌設され、さらに、図５に示すように、離間している枠体７を補強用鋼板６等により連結して補強が行われる。このような補強部材は、漁礁を設置する海域の状況に応じて適宜設ければよい。
【００１４】
図５に示したような大型魚礁１００を海中に設置すれば、多量の木材を使用した表面積の大きい魚礁群が形成され、魚類の増殖に必要となる生物の付着が促進され、また魚類の好む空間が数多く形成される。また、図５に示した配置例以外にも、中ブロック漁礁１０の組み合わせ方により、海域に適応した種々の大型魚礁を形成することができる。
【図面の簡単な説明】
【００１５】
【図１】本考案に係る増殖機能付加型魚礁の一実施例を示す斜視図である。
【図２】図１の正面図である。
【図３】図１の平面図である。
【図４】図１の増殖機能付加型魚礁を組み合わせた状態を示す斜視図である。
【図５】図４の中ブロック漁礁の配置例を示す斜視図である。
【符号の説明】
【００１６】
１    増殖機能付加型魚礁
１ａ  基本ブロック
２    木材
３    木材貫通部
４    連結用螺子孔
５    突片
６    補強用鋼板
７    枠体
８    枠蓋
１０    中ブロック漁礁
１００    大型漁礁
【図１】
0003103444.tif 000003
【図２】
0003103444.tif 000004
【図３】
0003103444.tif 000005
【図４】
0003103444.tif 000006
【図５】
0003103444.tif 000007